(57)【要約】【課題】手袋本体に多くの情報を表示して宣伝効果を高めることができ、製造も容易な手袋を提供する。【解決手段】生地糸を編み上げて形成された手袋本体１２の手の平部１４又は手の甲部１６の表面に、手袋本体１２の色と異なる色に着色された加工液３２を塗着することにより、二次元コードであるＱＲコード（登録商標）２２を表する。白地の手袋本体１２に、黒、赤、又は灰色に着色された加工液３２である滑り止め材を塗着することにより、ＱＲコード２２を表す。又は、黒地の手袋本体１２に、白、赤、灰、黄、青又は緑色に着色された加工液３２である滑り止め材を塗着することにより、ＱＲコード２２を表す。【選択図】図１
2013227691.tif 000002
【特許請求の範囲】
【請求項１】
生地糸を編み上げて形成された手袋本体の手の平部又は手の甲部の表面に、手袋本体の色と異なる色に着色された加工液を塗着することによって、二次元コードが表されていることを特徴とする手袋。
【請求項２】
前記二次元コードは、ＱＲコード（登録商標）である請求項１記載の手袋。
【請求項３】
白地の前記手袋本体に、黒、赤、又は灰色に着色された前記加工液である滑り止め材を塗着することによって前記二次元コードが表されている請求項１又は２記載の手袋。
【請求項４】
黒地の前記手袋本体に、白、赤、灰、黄、青又は緑色に着色された前記加工液である滑り止め材を塗着することによって、前記二次元コードが表されている請求項１又は２記載の手袋。
【請求項５】
白地の前記手袋本体に、前記加工液である黒色インクを塗着することによって前記二次元コードが表されている請求項１又は２記載の手袋。
【発明の詳細な説明】
【技術分野】
【０００１】
この発明は、生地糸を編み上げて形成された手袋に関する。
【背景技術】
【０００２】
従来から、企業宣伝用のノベルティグッズとしての手袋、商品としての手袋など、企業名や商品名の文字、広告用の絵柄等が手袋本体の表面に表された表示付き手袋がある。
【０００３】
また、特許文献１に開示されているように、手の平側の特定の部分に略帯状の滑り止め（例えば、バーコード）が設けられた手袋がある。
【先行技術文献】
【特許文献】
【０００４】
【特許文献１】実用新案登録第３１７１２５０号公報
【発明の概要】
【発明が解決しようとする課題】
【０００５】
従来の表示付き手袋の場合、企業名や商品名の文字等を表示によって需要者等の注意を引いたとしても、表示可能な情報量が限られ、消費者行動として次の段階に進展しにくいという問題がある。例えば、需要者等が企業宣伝用のノベルティグッズとしての手袋を見て「製造元の企業情報や商品ラインアップを知りたい」と思ったとき、迅速に情報を提供できるかということである。身近な方法として、インターネット上のｗｅｂサイトを調べる方法が考えられるが、企業名や商品名を検索エンジン等に手入力して検索するのは意外に面倒であり、たとえ検索してくれたとしても、該当の企業や商品を正しく抽出できるとは限らない。従って、手袋に企業名や商品名を表示しても、期待する程の宣伝効果が得られない。
【０００６】
また、特許文献１の手袋の場合、略帯状の滑り止めである一次元バーコードに宣伝用の情報が記されていたとしても、一次元バーコードは情報量が少なく、また、需要者等の間に一次元バーコードリーダが広く普及しているとは言えないので、この場合も宣伝効果が十分とは言えない。
【０００７】
この発明は、上記背景技術に鑑みて成されたものであり、手袋本体に多くの情報を表示して宣伝効果を高めることができ、製造も容易な手袋を提供することを目的とする。
【課題を解決するための手段】
【０００８】
本発明は、生地糸を編み上げて形成された手袋本体の手の平部又は手の甲部の表面に、手袋本体の色と異なる色に着色された加工液を塗着することによって、二次元コードが表されている手袋である。前記二次元コードは、ＱＲコード（登録商標）であることが好ましい。
【０００９】
白地の前記手袋本体に、黒、赤、又は灰色に着色された前記加工液である滑り止め材を塗着することによって前記二次元コードが表されている。又は、黒地の前記手袋本体に、白、赤、灰、黄、青又は緑色に着色された前記加工液である滑り止め材を塗着することによって、前記二次元コードが表されている。又は、白地の前記手袋本体に、前記加工液である黒色インクを塗着することによって前記二次元コードが表されている。
【発明の効果】
【００１０】
本発明の手袋は、手袋本体の手の平部又は手の甲部に二次元コードを表することによって、多くの情報を盛り込むことができる。特に、二次元コードとしてＱＲコードを使用すれば、広く普及している携帯電話で読み取ることができるので、需要者等が関連企業のホームページ等にアクセスしやすくなり、表示による宣伝効果が大きい。
【００１１】
また、手袋本体の色と二次元コードの色を所定の組み合わせにすることによって、色の濃淡が明瞭になって二次元コードリーダによる読み取りが容易になり、デザイン的にも優れたものになる。
【図面の簡単な説明】
【００１２】
【図１】この発明の手袋の第一実施形態を示す正面図（ａ）、右側面図（ｂ）、背面図（ｃ）である。
【図２】加工液を塗着する工程の一例を説明する平面図（ａ）、正面図（ｂ）である。
【図３】この発明の手袋の第二実施形態を示す正面図（ａ）、右側面図（ｂ）、背面図（ｃ）である。
【発明を実施するための形態】
【００１３】
以下、この発明の手袋の第一実施形態について、図１、図２に基づいて説明する。第一実施形態の手袋１０は、ナイロン、ポリエステル、綿、ウール、アクリル等の生地糸を手袋状に編み上げた手袋本体１２から成る。図１では右手用の手袋１０のみを示しているが、一対に使用される左手用の手袋１０も同様の構成である。
【００１４】
手袋本体１２は手の平部１４と手の甲部１６が筒状に形成され、一方の端部に、親指、人差指、中指、薬指、小指に対応する５本の指部１８が形成され、他端部は、やや狭くなって筒状に開口した手首部２０が設けられている。手首部２０は、伸縮性が高い織り方で手首にフィットするように作られている。
【００１５】
手の平部１４の表面には、略正方形の二次元コードであるＱＲコード２２が表されている。また、手の平部１４と５本の指部１８の手の平部１４側の表面の、ＱＲコード２２がない部分に、例えば楕円形、長方形、1/4円形等の多数の滑り止め部２４が設けられている。ここでは、ＱＲコード２２及び滑り止め部２４は同じ材料から成り、ポリ塩化ビニル、天然ゴム、ニトリルゴム、シリコーン樹脂、アクリル樹脂又はウレタン樹脂等の摩擦係数が大きく適度な柔軟性を備えた材料で形成されている。従って、手袋１０の使用時には、ＱＲコード２２も滑り止めの働きをする。
【００１６】
ＱＲコード２２及び滑り止め部２４は、例えば図２に示す手順で形成することができる。まず、手袋本体１２の内側に挿入可能な板状の手型部材２６を用意する。手型部材２６は、金属板、木板又は樹脂板等を加工したもので、手袋本体１２と同じように先端に５本の指型部２６ａが形成され、根元の手首型部２６ｂは、手袋本体１２の手首部２０よりも長く形成されている。次に、手型部材２６を手袋本体１２の内側に挿入する。手型部材２６が手袋本体１２に挿入されると、個々の指型部２６ａが、手袋本体１２の各指部１８の奥深くまで入り込み、手首型部２６ｂが手袋本体１２の手首部２０から突出する。この突出した部分が、製造途中の手袋１０を移送する際の持ち手になる。
【００１７】
手袋本体１２に手型部材２６を装着すると、基台２８上に手の平部１４側を上にして載置固定し、その上方から、所定部分に多数の開口３０ａを形成したマスク板３０を押し当て、マスク板３０の上面にゾル液状の加工液３２を置く。そして、スキージ３４で加工液３２が移動させることによって、加工液３２が開口３０ａに充填され、加工液３２の下面側の一部が生地にしみ込みながら、手袋本体１２の表面に塗布される。このとき、図２（ｂ）に示すように、マスク板３０の開口３０ａに一定の抜き勾配が設けておくと、マスク板３０を引き上げるときに加工液３２の抜け性が向上する。
【００１８】
その後、手袋本体１２を所定の条件で加熱乾燥し、塗布された加工液３２硬化させる。加工液３２の主成分がポリ塩化ビニルの場合、約１８０℃の加熱炉を通過させることで容易に硬化させることができる。これにより、ＱＲコード２２を手袋本体１２の手の平部１４の表面に、多数の滑り止め部２４を手の平部１４と５本の指部１８の手の平部１４側の表面に、それぞれしっかりと塗着させることができる。その後、手袋本体１２から手型部材２６を抜き取ると、図１の手袋１０ができ上がる。
【００１９】
ここで、手袋本体１２の色とＱＲコード２２の色の組み合わせについて説明する。ＱＲコード２２等の二次元コードは、背景の色と濃淡が判別ができないと二次元コードリーダで読み取ることができない。そこで、ＱＲコード２２の色は手袋本体１２と異なる色を選択することが重要である。特に、白地の手袋本体１２の場合、ＱＲコード２２の色を黒、赤、灰色の何れかを選択することが好ましい。また、黒地の手袋本体１２の場合、ＱＲコード２２の色を白、赤、灰色の何れかを選択することが好ましい。これら組み合わせであればＱＲコード２２の濃淡がはっきりするので、二次元コードリーダで容易に読み取ることができる。ＱＲコード２２の色は、加工液３２に混合する着色材の色を変更することによって変更できる。
【００２０】
ＱＲコード２２に盛り込まれる情報は特に限定されないが、例えば、企業宣伝用のノベルティグッズとしての手袋１０であれば、宣伝対象の企業のホームページアドレス、販売代理店のホームページアドレスなどが考えられる。また、商品としての手袋１０のＱＲコード２２であれば、手袋１０の製造元企業のホームページアドレス、通信販売サイトのアドレス、手袋１０を再度発注したいときの発注型番などが考えられる。
【００２１】
以上説明したように、第一実施形態の手袋１０は、手袋本体１２の手の平部１４にＱＲコード２２を表することによって、多くの情報を盛り込むことができる。特に、ＱＲコード２２は、広く普及している携帯電話で読み取ることができるので、需要者等が関連企業のホームページ等にアクセスしやすくなり、表示による宣伝効果が大きい。また、手袋本体１２の色と二次元コード２２の色を所定の組み合わせにすることによって、色の濃淡が明瞭になって二次元コードリーダによる読み取りが容易になり、デザイン的にも優れたものになる。
【００２２】
また、ＱＲコード２２は、滑り止め部２４と同じ加工液３２を用いて手の平部１４に表されるので、図２の平面スクリーン印刷等の方法を使用すれば、滑り止め部２４と同時に形成することができ、手袋１０の製造コストを安価に抑えることができる。
【００２３】
次に、この発明の手袋の第二実施形態について、図３に基づいて説明する。ここで、第一実施形態の手袋１０と同様の構成は、同一の符号を付して説明を省略する。第二実施形態の手袋３６は、上記の手袋１０と異なり、手の甲部１６の表面にＱＲコード３８が表されている。また、ＱＲコード３８の材料は黒色インクである。
【００２４】
ＱＲコード３８は、例えば、滑り止め部２４を形成する前に、図２で説明したのと同様の手順で形成することができる。ただし、平面スクリーン印刷を行う際、黒色インクの加工液は粘度がやや低いので、マスク板３０の厚みを上記よりも薄くすることが好ましい。
【００２５】
ここで、手袋本体１２の色とＱＲコード３８の色の組み合わせについて説明する。ＱＲコード３８は黒色なので、手袋本体１２の生地が白、赤、灰色の何れかであることが好ましい。これら組み合わせであればＱＲコード３８の濃淡がはっきりするので、二次元コードリーダで容易に読み取ることができ、デザイン的にも優れたものになる。
【００２６】
第二実施形態の手袋３６においても、上記第一実施形態と同様の作用効果を得ることができ、さらに、ＱＲコード３６が手の甲部１６側に設けられているので、例えば作業用手袋として使用されても、ＱＲコード３６が汚れたり欠損したりしにくいという利点がある。
【００２７】
なお、この発明は、上記実施形態に限定されるものではない。例えば、上記のＱＲコードは、ＱＲコード以外の二次元コードに変更してもよいし、上記以外の材料の加工液を使用してもよいし、手袋本体への塗着方法も問わない。また、ＱＲコードの大きさについても自由であり、デザイン性を考慮してもっと大きくしたり、二次元コードリーダで読み取り可能な範囲で小さくしたりしてもよい。
【００２８】
また、ＱＲコードに加えて、従来と同様に企業名や商品名の文字、広告用の絵柄等を表示してもよいし、必要に応じて滑り止め部を削除しても構わない。
【実施例１】
【００２９】
以下、この発明を実施した手袋の評価結果について説明する。実施例１では、表１に示す手袋を試作し、評価を行った。ここでは、白地の手袋本体に、黒、赤、灰、又は黄色に着色したポリ塩化ビニルの加工液を塗着して、何種類かの大きさのＱＲコードを設けた。ＱＲコードを平面スクリーン印刷する際に用いたマスク板の厚みは0.5mmである。評価は、手袋を平坦な面に置き、ＱＲコードを二次元コードリーダで読み取ることができるか否かの試験を複数回行い、認識のしやすさを判定した。
【００３０】
評価の結果、ＱＲコードの色が黒、赤、灰色で、大きさが40×40mm又は50×50mm以上の場合に、認識のしやすさが良好であった。
【００３１】
【表１】
2013227691.tif 000003
【実施例２】
【００３２】
表２に示す手袋を試作し、評価を行った。ここでは、白地の手袋本体に、黒色インキの加工液を塗着して、何種類かの大きさのＱＲコードを設けた。ＱＲコードを平面スクリーン印刷する際に用いたマスク板の厚みは0.1mmである。
【００３３】
実施例１と同様の評価を行った結果、ＱＲコードの大きさが30×30mm以上の場合に、認識のしやすさが良好であった。
【００３４】
【表２】
2013227691.tif 000004
【実施例３】
【００３５】
表３に示す手袋を試作し、評価を行った。ここでは、黒地の手袋本体に、白、赤、灰、黄、青、又は緑色に着色したポリ塩化ビニルの加工液を塗着して、何種類かの大きさのＱＲコードを設けた。ＱＲコードを平面スクリーン印刷する際に用いたマスク板の厚みは0.5mmである。
【００３６】
実施例１と同様の評価を行った結果、ＱＲコードの色が白、赤、灰、黄、青、緑色の何れの場合も、大きさが40×40mm又は50×50mm以上で認識のしやすさが良好であった。
【００３７】
【表３】
2013227691.tif 000005
【符号の説明】
【００３８】
１０，３６  手袋
１２  手袋本体
１４  手の平部
１６  手の甲部
１８  指部
２２，３８  ＱＲコード（二次元コード）
３２  加工液
【図１】
2013227691.tif 000006
【図２】
2013227691.tif 000007
【図３】
2013227691.tif 000008